(57)【特許請求の範囲】
【請求項１】
アルファルファミールと酸性植物繊維の混合物を含む猫誘引剤であって、アルファルファミールが少なくとも６０重量％の量で存在する、猫誘引剤。
【請求項２】
本質的にアルファルファミールおよびクランベリー繊維からなる、請求項１に記載の猫誘引剤。
【請求項３】
収着剤材料および猫誘引剤の分離した複数の粒子を含む動物用トイレ砂であって、猫誘引剤がアルファルファミールと酸性植物繊維の混合物を含み、アルファルファミールが酸性植物繊維の重量に対して少なくとも６０重量％の量で存在する、動物用トイレ砂。
【請求項４】
酸性植物繊維がクランベリー繊維を含む、請求項３に記載の動物用トイレ砂。
【請求項５】
粉砕されたトウモロコシ、脱脂トウモロコシ胚芽、柑橘類繊維、潤滑剤、および粘着剤を含み、動物用トイレ砂が、濡れた場合に塊状凝集する傾向がある分離した複数の圧縮された粒子の形態にあり、前記粘着剤が前記粒子の粒子内粘着力を高めるのに有効な量で前記トイレ砂に存在する、請求項３に記載の動物用トイレ砂。
【請求項６】
前記収着剤が、前記トイレ砂の収着剤として機能する少なくとも１０％の細かく粉砕された木材粉末、潤滑剤、および粘着剤を含み、動物用トイレ砂が、濡れた場合に塊状凝集する傾向がある分離した複数の粒子の形態にあり、粘着剤が粒子の粒子内粘着力を高めるのに有効な量で存在する、請求項３に記載の動物用トイレ砂。
【請求項７】
分離した複数の圧縮された粒子の５５％〜７５％が米国規格＃１４メッシュスクリーンのサイズより大きく、分離した複数の圧縮された粒子の１０％〜２０％が米国規格＃２０メッシュスクリーンのサイズより大きく、分離した複数の圧縮された粒子の６％以下が米国規格＃３０メッシュスクリーンのサイズより大きく、分離した複数の圧縮された粒子の３％以下が米国規格＃４０メッシュスクリーンのサイズより大きく、分離した複数の圧縮された粒子の２％以下が米国規格＃８０メッシュスクリーンのサイズより大きい、請求項６に記載の動物用トイレ砂。
【請求項８】
前記収着剤が、少なくとも３０重量％の粉砕されたトウモロコシ穂軸、潤滑剤、および粘着剤を含み、動物用トイレ砂が、濡れた場合に塊状凝集する傾向がある分離した複数の粒子の形態にあり、粘着剤が粒子の粒子内粘着力を高めるのに有効な量で存在する、請求項３に記載の動物用トイレ砂。
【請求項９】
動物用トイレ砂を用意する工程；および、動物に前記動物用トイレ砂の中へ排泄物を排出させる工程を含み；
前記動物用トイレ砂が、収着剤材料および猫誘引剤の分離した複数の粒子を含み、猫誘引剤がアルファルファミールと酸性植物繊維の混合物を含み、アルファルファミールが酸性植物繊維の重量に対して少なくとも６０重量％の量で存在する、方法。
【請求項１０】
トイレ砂が、粉砕されたトウモロコシ、脱脂されたトウモロコシ胚芽、柑橘類繊維、潤滑剤、および粘着剤を含み、動物用トイレ砂が、濡れた場合に塊状凝集する傾向がある分離した複数の圧縮された粒子の形態にあり、前記粘着剤が前記粒子の粒子内粘着力を高めるのに有効な量で前記トイレ砂に存在する、請求項９に記載の方法。
【請求項１１】
前記収着剤が、前記トイレ砂の収着剤として機能する少なくとも１０％の細かく粉砕された木材粉末、潤滑剤、および粘着剤を含み、動物用トイレ砂が、濡れた場合に塊状凝集する傾向がある分離した複数の粒子の形態にあり、粘着剤が粒子の粒子内粘着力を高めるのに有効な量で存在する、請求項９に記載の方法。
【請求項１２】
動物用トイレ砂を用意する工程；
猫誘引剤を用意する工程であって、猫誘引剤がアルファルファミールと酸性植物繊維の混合物を含み、アルファルファミールが酸性植物繊維の重量に対して少なくとも６０重量％の量で存在する工程；および、
猫の使用に対して、前記トイレ砂を相対的により誘引性にするのに有効な量で前記猫誘引剤を前記トイレ砂へ添加する工程、
を含む方法。
【発明の詳細な説明】
【技術分野】
【０００１】
[0001]  本開示は、一般にペットケアの分野にあり、より詳細には動物用トイレ砂、特に猫用トイレ砂に関する。
【背景技術】
【０００２】
[0002]  猫は、排泄物を排泄する場合、普通はある特定の挙動を示す。これらの挙動は、そこに排尿または排便する好適な材料の探索から始まる。猫はいったん適切な材料を選択すると、猫は浅いくぼみを掘る傾向がある（attend to）。排泄の後、多くの猫は再度掘って、排泄物を隠そうと試みる。
【０００３】
[0003]  屋内の猫は、トイレ砂箱をこの目的のために使用することを要求される。トイレ砂箱は、一般に一定量の動物用トイレ砂を含有する開放容器を含む。多くの動物用トイレ砂は当該技術分野で公知であり、これらは、有機収着剤および無機収着剤の両方を有し、非集塊性および集塊性のある動物用トイレ砂の形態を有する、トイレ砂を含む。
【０００４】
[0004]  一部の猫は、あいにく、トイレ砂箱を確実に使用しない。不適切な排泄は、猫がシェルターを放棄する主な原因となる。しぶきを飛ばす以外に、不適切な排泄の２つの主な要因は、医学的な問題および挙動の問題である。挙動の問題の中で、トイレ砂の嫌悪およびトイレ砂の好みは主な要因である。猫がいくつかの望ましくない挙動、例えば、トイレ砂箱の外で排泄物を堆積させる、トイレ砂箱に居た後に足を揺さぶる、トイレ砂箱の端に立つ、トイレ砂箱から逃げる、またはトイレ砂箱の近くで鳴くことの１つまたは複数を見せる場合、トイレ砂嫌悪症候群は行動の問題である。トイレ砂の臭いおよび触感によって、トイレ砂の受容性に影響を与えることができる。極度に香りをつけられたトイレ砂および蓄積された排泄物を有するトイレ砂は、特に、トイレ砂箱によって放出される攻撃的臭いに寄与するアンモニアとともに、猫に反感を覚えさせるおそれがある。過去に、猫へのトイレ砂の誘引性を増加させるために、猫用トイレ砂に材料を添加する努力がされてきた。例えば、イヌハッカおよびある特定の他の植物はネペタラクトン、猫に覚醒反応をもたらす油を放出する。しかしながら、ネペタラクトンは所望の排泄挙動を助力するように思われず、さらに不適当な挙動を助長するおそれがある。
【発明の概要】
【発明が解決しようとする課題】
【０００５】
[0005]  したがって、猫に誘引性のあるトイレ砂、および公知のトイレ砂の魅力を増加させる誘引剤を提供することは、望ましいであろう。
【課題を解決するための手段】
【０００６】
[0006]  アルファルファミールおよび酸性のｐＨを有する植物繊維、例えばクランベリー繊維から、猫誘引剤が調製され得ることは、見出されていない。驚くべきことに、アルファルファミールおよびクランベリー繊維を使用して調製された猫誘引剤が、これらの成分のどちらかを単独で使用するより良好な猫誘引剤特性を示すことが見出された。いくつかの実施形態では、本発明は猫誘引剤を提供する。他の実施形態では、本発明は猫または他の動物のトイレ砂を提供し、猫のトイレ砂は収着剤材料および猫誘引剤を含み、猫誘引剤はアルファルファミールおよび酸性のｐＨを有する植物繊維を含む。猫誘引剤を使用する方法および動物用トイレ砂を使用する方法もまた、本発明の様々な実施形態に包含される。猫誘引剤を使用する方法は、トイレ砂の猫への誘引性を相対的に増加させるのに有効な量で、誘引剤をトイレ砂に添加することを含む。
【０００７】
[0007]  いくつかの実施形態で同様に包含されるのは、動物用トイレ砂を調製する方法および動物の排泄物を除去する方法である。動物用トイレ砂を調製する方法は、一般に本明細書で提供される猫誘引剤を使用して、トイレ砂を配合することを含む。動物の排泄物を除去する方法は、一般に動物に、猫誘引剤成分の配合されたまたは猫誘引剤が添加されたトイレ砂の中へ排泄物を排出させること、およびトイレ砂から排泄物を除去することを含む。
【図面の簡単な説明】
【０００８】
【図１】[0008]本明細書の以下のいくつかの実施例からのデータである。
【図２】本明細書の以下のいくつかの実施例からのデータである。
【図３】本明細書の以下のいくつかの実施例からのデータである。
【図４】本明細書の以下のいくつかの実施例からのデータである。
【図５】本明細書の以下のいくつかの実施例からのデータである。
【発明を実施するための形態】
【０００９】
[0009]  本明細書で記述するトイレ砂は、任意の無機または有機トイレ砂の配合に基づいてもよく、こうしたトイレ砂は猫誘引剤とともに配合されてもよく、または、猫誘引剤はトイレ砂が製造された後に、例えば、梱包中に、または家で猫の所有者によってトイレ砂に添加されてもよい。トイレ砂の望ましい特性としては、本発明のすべての実施形態で必ずしもすべてが存在するわけではないが、以下が挙げられる：
・植物系成分
・イヌハッカのような不適当行動（転がる、食べる）を引き起こさない、誘引性のある香り
・圧縮および造粒の前にトイレ砂に添加され、均一な混合の利点を達成しながら有効に残存する能力
・猫にとって掘って排泄物を埋めることが本能的である、砂のような触感
・トイレ砂が毛に追従および粘着することを阻害する、中程度の密度
・トイレ砂箱で濡れた場合に、容易に除去できるコンパクトで丸い集塊の形状を形成する、集塊特性
・尿の迅速な吸収
・最小のダスティング（＜１ｗ／ｗ％）。
【００１０】
[0010]  トイレ砂は集塊性のある動物用トイレ砂であり得る。集塊性のある動物用トイレ砂は、典型的には分離した複数の粒子の形態で提供される。粒子は、液体排泄物、例えば動物の尿によって濡れた場合に、固体の塊または集塊に塊状凝集する傾向がある。いくつかのこうした集塊性のあるトイレ砂は公知である。こうした集塊性のあるトイレ砂の１つの利点は、トイレ砂が濡れると形成される固体の集塊は、分離した存在物として残りのトイレ砂から別に除去することができることである。集塊したトイレ砂は、若干の相対的に汚されていないトイレ砂を将来の使用のために残して、動物の所有者によって廃棄され得る。動物の所有者、特に家猫の所有者は、こうしたトイレ砂の集塊特性が、動物用トイレ砂箱の定期的な掃除のために都合がよいことにしばしば気づく。動物の尿で見出される尿素の分解生成物であるアンモニアは、動物の排泄物の不快な臭いの一因となる重要な要因であるので、アンモニアをマスキングする特性もまた、動物トイレ砂で望ましい。いくつかの公知の動物トイレ砂は、アンモニアをうまくマスキングする特性を有する。
【００１１】
[0011]  多くの集塊性のある動物用トイレ砂は、クレーおよび他の鉱物基材から製造されている。こうしたトイレ砂としては、典型的には鉱物基材の粒子が挙げられ、この基材は吸収剤および／または臭い減力剤として機能する。粒子は、液体の活性化された接着材料、例えばゼラチン化されたデンプンで粒子の表面が被覆されていてもよい。濡れた場合に接着材料が活性化され、分離したトイレ砂粒子を集塊に塊状凝集させる。
【００１２】
[0012]  クレー系トイレ砂は集塊性のある動物用トイレ砂として機能的であり得るが、こうしたトイレ砂は他の材料と比較して異なる特徴および特色を有し得る。例えば、クレートイレ砂の１つの特徴は、トイレ砂のクレー成分の高密度である。この高密度のために、所与の尿量に対して、相対的に重い質量のトイレ砂を使用しなければならない。さらに、結果として得られる汚されたトイレ砂の集塊はやや重く、したがって粒子の強い接着性がないと砕けるおそれがある。クレートイレ砂の別の特徴は、クレーが生分解性ではないので、使用後にトイレ砂をいくつかの下水システムへ流すことができないことである。これはある特定の動物の所有者にとって、不便であり得る。
【００１３】
[0013]  これらの特徴を認識して、生物分解性材料、例えば種子殻または他の穀物系材料から製造された動物用トイレ砂が提供されてきた。こうしたトイレ砂は、しばしば下水システムへ流して処分するのに好適である。
【００１４】
[0014]  多数の集塊性のある動物用トイレ砂は当該技術分野で公知であり、例示的なこうしたトイレ砂は、例えば米国特許第６，０９８，５６９号；第６，２１６，６３４号；第６，４０５，６７７号；第６，６２２，６５８号；第６，８６８，８０２号；第７，７５３，００２号；第７，７５７，６３８号；第８，７３４，７６８号；第９，２３２，７６５号；第９，２３２，７６７号；第９，２８８，９６４号；第９，３６３，９７７号；第９，４１４，５６６号；第９，４３３，１８７号；第９，４９７，９２７号；および第９，６６８，４５３号に記述されている。これらの特許のそれぞれは、本出願に記述されている技術とともに使用するのに好適なトイレ砂配合についてのその開示に対して、その全体が参照により組み込まれる。
【００１５】
[0015]  一般に、本技法により調製された猫誘引剤は、アルファルファミールおよび植物繊維を含む。植物繊維は、酸性である任意の好適な植物繊維であり得、例えば、リンゴ、ブルーベリー、さくらんぼ、クランベリー、ブドウ、レモン、ライム、オレンジ、桃、パイナップル、プラム、もしくはイチゴ、または上記のブレンドが挙げられる。アルファルファミールおよび植物繊維は、互いに対して任意の好適な量で存在することができ、例えば、アルファルファミールは、アルファルファおよび植物繊維の総量の乾燥基準重量で、１％、２％、３％、４％、５％、６％、７％、８％、９％、１０％、１５％、２０％、２５％、３０％、４０％、５０％、６０％、７０％、８０％または９０％の量で存在し得る。動物用トイレ砂は、アルファルファミールおよび植物繊維から本質的になってもよく、またはいくつかの実施形態では、他の成分、例えば防腐剤、フレグランス、または他の構成要素が提供されてもよい。使用する場合、他の構成要素は、それらの有効な目的を意図した任意の量で存在し得る。
【００１６】
[0016]  一般に、猫誘引剤は、猫誘引剤を動物用トイレ砂箱へドライブレンドとして添加することによって使用される。猫誘引剤は、箱の中のトイレ砂の量に対して任意の好適な比で箱に添加され得る。実際上、猫誘引剤は、箱の中のトイレ砂の量とは対照的に、トイレ砂箱のサイズに基づいて、１平方インチ当たり０．２５〜１．０グラムの量で箱に添加されるべきであると考えられる。これは、箱の中のトイレ砂の深さに依存しなくてもよい。一般に、猫誘引剤は、猫誘引剤を添加する前のトイレ砂の状態に比べて、猫に（または異なるタイプのトイレ砂の場合は、意図した動物に）、トイレ砂の誘引性を増加させるのに有効な任意の量でトイレ砂に添加され得る。これまで指定した量での猫誘引剤の添加が、この必要条件を満たすと考えられる。続いて、猫（または対象となる他の動物）は、箱の中へ排泄物を排泄することが可能になり、例えば、任意の集塊および固体の動物の排泄物を除去することによって、箱は洗浄され得る。
【００１７】
[0017]  さらに、アルファルファミールおよび植物繊維を使用して、動物用トイレ砂は配合され得る。そのように形成された動物用トイレ砂は、猫誘引剤がなく形成された同等のトイレ砂より、猫に対して相対的に誘引性があると考えられる。トイレ砂は、アルファルファミールおよび植物繊維を、これまで記述した互いに対して任意の好適な量で含んでもよい。アルファルファミールおよびクランベリー繊維の総合計量は、例えば、動物用トイレ砂の総乾燥重量で１〜５％の範囲であってもよく、この量は上記の基準を満たすと考えられる。
【００１８】
[0018]  一態様では、本発明は動物用トイレ砂を調製する方法を提供し、方法は一般に、本明細書の上で記述のように、収着剤材料、アルファルファミール、および植物繊維をブレンドすることを含む。
【００１９】
[0019]  以下の実施例は、例証のために提供され、限定する意図ではない。
【実施例】
【００２０】
[0020]  実施例１
[0021]  以下に特定される猫誘引剤混合物を、アルファルファミールおよびクランベリー繊維から製造した。結果として得られるブレンドの酸性度を試験するために、５グラムの混合物を１００ｍｌの水に混合し、それらスラリーのｐＨを記録した。
【００２１】
【表１】
0006877637.tif 000002
表１．猫誘引性混合物の例およびそれらの水スラリーのｐＨ。
【００２２】
[0022]  実施例２
[0023]  ５／３２インチ直径の穴を装備したペレットミルを使用し、およそ１５５°Ｆの温度で以下の成分を混合し造粒することによって、動物用トイレ砂を調製した。
【００２３】
【表２】
0006877637.tif 000003
【００２４】
[0024]  実施例３
[0025]  Ｋｅｎｔ  Ｐｅｔ  Ｇｒｏｕｐ  ｏｆ  Ｍｕｓｃａｔｉｎｅ，Ｉｏｗａから市販されているＷｏｒｌｄ’ｓ  Ｂｅｓｔ  Ｃａｔ  Ｌｉｔｔｅｒプロダクトに、猫誘引剤を添加した。多頭飼い猫（group-housed cat）の３つの部屋で、２−ボックス試験（two-box test）を用いた。設備のすべての猫は、ＷＢＣＬの市販の配合物を日常的に使用した。２つのＷｏｒｌｄ’ｓ  Ｂｅｓｔ  Ｃａｔ  Ｌｉｔｔｅｒプロダクトである、Ｍｕｌｔｉｐｌｅ  Ｃａｔ  Ｆｏｒｍｕｌａ（ＣＥ）およびＣｌｕｍｐｉｎｇ  Ｆｏｒｍｕｌａ（ＣＬ）を、約５ポンド（２〜３インチ）のＷＢＣＬ（１つは対照、１つは試験）で満たされた、２つの清浄なカバーのないトイレ砂箱に配置した。箱は、少なくとも２４インチ離れて配置した。猫を、１５分間窓を通して観察した。接近の回数、箱に入った回数、箱を使用した回数、および各イベントの時間を記録した。「箱の近くで費やされた時間」は、接近したタイムスタンプで開始し、猫がそのエリアを去るまたは箱に入る時に終了するとして定義する。結果を図１に示す。理解されるように、トイレ砂の上に直接ふりかけられた猫誘引剤によって、トイレ砂箱への接近および入った回数は増加した。実際の使用についての効果は観察されず、これは観察期間が短時間だったことに起因し得る。
【００２５】
[0026]  実施例４
[0027]  同じ試験セットアップで、猫誘引性混合物をＷｏｒｌｄ’ｓ  Ｂｅｓｔ  Ｃａｔ  Ｌｉｔｔｅｒプロダクトに添加した。再度２つのＷｏｒｌｄ’ｓ  Ｂｅｓｔ  Ｃａｔ  Ｌｉｔｔｅｒプロダクトである、Ｍｕｌｔｉｐｌｅ  Ｃａｔ  Ｆｏｒｍｕｌａ（ＣＥ）およびＣｌｕｍｐｉｎｇ  Ｆｏｒｍｕｌａ（ＣＬ）を試験し、様々な比率で混合した。試験結果（図２）によれば、ＣＥプロダクトでは、箱近くで平均４３％多くの時間が費やされた（８３秒対５８秒）ことによって証明されるように、猫誘引剤は中程度の含有率で有効になり始めることが示唆された。ＣＬプロダクトでは、低い含有率で、箱の近くで平均３５％多くの時間が観察され（６２秒対４６秒）、中程度のレベルではわずかに増加したのみ（１８秒対１２秒、５０％多くの時間）であった。
【００２６】
[0028]  以下の配合物を評価した。
ＣＥベース１および２＝Ｗｏｒｌｄ’ｓ  Ｂｅｓｔ  Ｃａｔ  Ｌｉｔｔｅｒ  Ｍｕｌｔｉｐｌｅ  Ｃａｔ  Ｆｏｒｍｕｌａ。
ＣＥ＋低＝Ｗｏｒｌｄ’ｓ  Ｂｅｓｔ  Ｃａｔ  Ｌｉｔｔｅｒ  Ｍｕｌｔｉｐｌｅ  Ｃａｔ  Ｆｏｒｍｕｌａ＋低い含有率。
ＣＥ＋中＝Ｗｏｒｌｄ’ｓ  Ｂｅｓｔ  Ｃａｔ  Ｌｉｔｔｅｒ  Ｍｕｌｔｉｐｌｅ  Ｃａｔ  Ｆｏｒｍｕｌａ＋中程度の含有率。
ＣＬベース１および２＝Ｗｏｒｌｄ’ｓ  Ｂｅｓｔ  Ｃａｔ  Ｌｉｔｔｅｒ  Ｃｌｕｍｐｉｎｇ  Ｆｏｒｍｕｌａ。
ＣＬ＋低＝Ｗｏｒｌｄ’ｓ  Ｂｅｓｔ  Ｃａｔ  Ｌｉｔｔｅｒ  Ｃｌｕｍｐｉｎｇ  Ｆｏｒｍｕｌａ＋低い含有率。
ＣＬ＋中＝Ｗｏｒｌｄ’ｓ  Ｂｅｓｔ  Ｃａｔ  Ｌｉｔｔｅｒ  Ｃｌｕｍｐｉｎｇ  Ｆｏｒｍｕｌａ＋中程度の含有率。
【００２７】
[0029]  実施例５
[0030]  同じ試験セットアップで、猫誘引性混合物をＷｏｒｌｄ’ｓ  Ｂｅｓｔ  Ｃａｔ  Ｌｉｔｔｅｒプロダクトに添加した。再度２つのＷｏｒｌｄ’ｓ  Ｂｅｓｔ  Ｃａｔ  Ｌｉｔｔｅｒプロダクト（Ｍｕｌｔｉｐｌｅ  Ｃａｔ  Ｆｏｒｍｕｌａ（ＣＥ）および  Ｃｌｕｍｐｉｎｇ  Ｆｏｒｍｕｌａ（ＣＬ））を試験した。猫には、４８時間、２皿のトイレ砂（試験および対照）が与えられ、その後観察した。箱を毎日速やかにすくい、その後約１５分間観察した。この手順の結果（図３）は、より短い手順と同様の傾向を示している。添加の高い含有率を試験し、ベーストイレ砂（ＣＥまたはＣＬ）に関係なく、箱の近くで費やされた時間が大幅に増加した。
【００２８】
[0031]  実施例６
[0032]  猫誘引性混合物を、市販のクレー系猫用トイレ砂に添加する。
【００２９】
[0033]  実施例７
[0034]  以下の成分を混合し、５／３２インチ直径の穴を装備したペレットミルを使用し、およそ１５５°Ｆの温度で造粒することによって、動物用トイレ砂を調製した。
【００３０】
【表３】
0006877637.tif 000004
【００３１】
[0035]  実施例８
[0036]  以下のトイレ砂配合物（試験および対照）を調製し評価した。
【００３２】
【表４】
0006877637.tif 000005
【００３３】
[0037]  各場合のトイレ砂を配合するために、成分を一緒に混合し、次に５／３２インチ直径の穴を有するペレットミルで、１５０〜１６０°Ｆの間の温度で造粒した。生成物を＜１２％水分まで乾燥し、その後砕いて表面積を増加させた。
【００３４】
[0038]  これらのトイレ砂配合物を猫で評価するために、多頭飼い猫の３つの部屋で２−ボックス試験を用いた。設備のすべての猫は、Ｗｏｒｌｄ’ｓ  Ｂｅｓｔ  Ｃａｔ  Ｌｉｔｔｅｒの市販の配合物を日常的に使用した。手短に言えば、それぞれ２〜３インチのトイレ砂を含有している、トイレ砂の２つの清浄な皿（試験および対照）を、猫（n=7）に与えた。各部屋は、２週間の期間にわたって、各試験の組み合わせを受け取った。箱は少なくとも２４インチ離れて配置され、猫は、箱およびトイレ砂配合物に４８時間アクセスし、その後観察した。箱を毎日速やかにすくい、その後約１０分間窓を通して観察した。
【００３５】
[0039]  この試験の結果を図４および５に示す。理解されるように、アルファルファおよびクランベリー繊維の両方が配合されたトイレ砂は、アルファルファまたはクランベリーのいずれかが単独で配合されたトイレ砂より良好に機能した。この傾向は箱の近くで費やされた時間（第１の成果）およびトイレ砂箱に接近した回数（第２の指標）の両方に当てはまった。クランベリー成分対ブレンドを比較した場合、違いは特に顕著であった。
【００３６】
[0040]  したがって、猫誘引剤が提供され得ることが理解される。上記から、本発明のトイレ砂を含む容器を提供することができ、動物にトイレ砂の中へ排泄物を排出させることができ、ここで集塊性のあるトイレ砂の場合には、排泄物に存在する液体が、トイレ砂の少なくとも一部を少なくとも１つの集塊に塊状凝集させることが理解される。次に、集塊は容器から除去され得る。トイレ砂は、家猫からの排泄物の除去に関連して、ならびに他の動物、例えば他の哺乳動物（例えば、げっ歯動物）および鳥からの排泄物の除去にも関連して有用である。動物用トイレ砂を猫誘引剤から調製することができる、または、猫誘引剤を別に調製し、あらかじめ調製された動物用トイレ砂の分離した粒子にブレンドすることができ、ブレンドを容器（例えば、トイレ砂箱）に配置する、または、添加物を別に調製して、既にあるトイレ砂に添加することができることが認識されるであろう。
【００３７】
[0041]  本明細書で引用されるすべての参考文献は、それら全体の参照により本明細書に組み込まれる。特に断らない限り、または文脈によって明確に否定されない限り、すべての重量パーセントは乾燥固体基準である。
【００３８】
[0042]  単数の用語に使用する、例えば「ａ」「ａｎ」は、本明細書で特に示されない限り、または文脈によって明確に否定されない限り、単数および複数の両方をカバーするように意図される。「含む（comprising）」、「有する（having）」、「含む（including）」および「含有する（containing）」という用語は、非限定的用語として解釈されるべきである。「好ましい」実施形態としてのある特定の実施形態、および実施形態、特色、もしくは好ましい範囲の他の列挙、またはそれが好ましいという提案のいずれの記述も、限定的とは見なされない。現在あまり好ましくないと見なされ、本明細書でそのように記述され得る実施形態を、本発明は包含すると見なされる。本明細書で記述されるすべての方法は、本明細書で特に示されない限り、または文脈によって明確に否定されない限り、任意の好適な順に実施することができる。本明細書で提供されるあらゆる実施例または例示的な用語（例えば、「such as」）の使用は、本発明を明らかにする意図であり、本発明の範囲に限定を与えない。本発明または好ましい実施形態の性質または利点に関する本明細書のどんな記述も、限定する意図ではない。本発明は、準拠法によって許可される本明細書で列挙される主題の、すべての変更および等価物を含む。そのうえ、上記要素のそのすべての可能な変形での任意の組み合わせは、本明細書で特に示されない限り、または文脈によって明確に否定されない限り本発明によって包含される。本明細書での任意の参考文献または特許の記述は、「先行」と確認されたとしても、こうした参考文献または特許が本発明に対する先行技術として利用可能であるという特権を構成するという意図ではない。請求されていない言語は、本発明の範囲を限定すると見なされるべきではない。ある特定の特徴が、請求された発明の要素を構成するという本明細書でのいかなる記述または提案も、添付の特許請求の範囲で反映されない限り、限定するように意図されない。任意の製品への特許番号のマーキングも、任意のサービスに関連する特許番号の識別も、本明細書で記述するすべての実施形態がこうした製品またはサービスへ組み込まれているという表明と見なされるべきではない。 
【図１】
0006877637.tif 000006
【図２】
0006877637.tif 000007
【図３】
0006877637.tif 000008
【図４】
0006877637.tif 000009
【図５】
0006877637.tif 000010